(57)【要約】【課題】  新たに入院した患者や退院が近づいた患者を認識し易いよう表示するナースコール親機を備えたナースコールシステムを提供する。【解決手段】  ナースコール親機３は、入院患者の氏名、入院日を含む患者情報を記憶する患者情報記憶部４２を有すると共に、入院患者の少なくとも氏名を含む患者情報の一覧を表示する大型ディスプレイ３２を有し、親機ＣＰＵ３８が大型ディスプレイ３２に表示する患者情報を制御する。親機ＣＰＵ３８は、患者情報記憶部４２が記憶する入院日に対して経過日数をカウントして経過日数が３日以内であったらその患者の患者情報表示エリアＰ２に対しては第１の強調表示Ｇ１を実施し、４日以上が経過したら強調表示を終了して通常表示に切り替える。【選択図】  図４
2015071011.tif 000002
【特許請求の範囲】
【請求項１】
ベッド毎に設置されて患者が看護師を呼び出すためのナースコール子機と、ナースステーションに設置されて前記ナースコール子機による呼び出しに応答するためのナースコール親機と、前記ナースコール子機と前記ナースコール親機の間の呼出／通話を制御する制御機とを備えたナースコールシステムにおいて、
前記ナースコール親機或いは制御機は、入院患者の氏名、入院日を含む患者情報を記憶する患者情報記憶部を有すると共に、前記ナースコール親機は、入院患者の少なくとも氏名を含む患者情報の一覧を表示するディスプレイを有し、
更に前記ナースコール親機或いは制御機は、前記ディスプレイに表示する患者情報の一覧表示を制御する表示制御部を有し、
前記表示制御部は、前記患者情報記憶部に記憶された入院日からの経過日数が所定日数以内であったら、その患者情報の表示に対しては第１の強調表示を実施し、前記所定日数が経過したら前記第１の強調表示を終了することを特徴とするナースコールシステム。
【請求項２】
前記表示制御部は、前記第１の強調表示を行っている患者の氏名が、入院中の患者と姓或いは名の少なくとも一方が一致している場合は、双方の患者氏名の表示に対して第２の強調表示を実施することを特徴とする請求項１記載のナースコールシステム。
【請求項３】
前記表示制御部は、前記第２の強調表示を実施している新規入院の患者情報が前記所定日数が経過したら、前記第２の強調表示を実施している双方の患者氏名の表示を第３の強調表示に変更することを特徴とする請求項２記載のナースコールシステム。
【請求項４】
前記患者情報記憶部に記憶された患者情報に退院予定日の記載がある場合、
前記表示制御部は、前記退院予定日までの日数が特定の日数以内となったら、当該患者情報に対して第４の強調表示を実施することを特徴とする請求項１乃至３の何れかに記載のナースコールシステム。
【請求項５】
前記第１の強調表示を表示色の変更で実施する一方、前記第２及び第３の強調表示を患者氏名に下線を付与して実施し、
前記第２と第３の強調表示は下線の太さ或いは下線の色が異なるものであることを特徴とする請求項３記載のナースコールシステム。
【発明の詳細な説明】
【技術分野】
【０００１】
本発明は、病院や介護施設で使用されるナースコールシステムに関し、詳しくは患者からの呼び出しに応答するためにナースステーションに設置されたナースコール親機に、患者情報の一覧を表示するディスプレイが備えられている場合に、その患者氏名の表示形態の改良に関すする。
【背景技術】
【０００２】
従来より、患者からの呼び出しに応答するためにナースステーションに設置されたナースコール親機において、患者氏名を中心とした患者情報の一覧をディスプレイ上に表示するナースコールシステムがある。
例えば特許文献１では、ナースコール親機を通話機能を備えた卓上型親機と、パーソナルコンピュータから成るＰＣ親機とで構成し、ＰＣ親機のディスプレイに入院患者の氏名を含む患者情報を一覧表示し、患者からの呼び出しが発生したら呼出元の患者情報がポップアップ表示される構成が開示されている。
また、特許文献２では、同様にナースコール親機が卓上型親機とＰＣ親機で構成され、病棟レイアウトに合わせて患者情報の一覧が表示され、患者情報が変更されたらその変更内容をポップアップ表示させて、看護師に対して注意を促すよう動作させている。
【先行技術文献】
【特許文献】
【０００３】
【特許文献１】特開２００５−３４９０２０号公報
【特許文献２】特開２０１０−２２７２４３号公報
【発明の概要】
【発明が解決しようとする課題】
【０００４】
患者情報の一覧をディスプレイ上に表示する上記従来のナースコール親機を備えたシステムは、患者の詳細な情報を表示できるし、変更された情報は認識し易いよう表示されるため、スムーズな看護業務に遂行に役立つものであった。
しかしながら、個々の入院患者は入院したばかりなのか、退院が近い患者であるか、ディスプレイの表示から容易に把握することはできなかった。例えば、退院予定日が決まっている患者の場合、その日時の表示は可能であったとしても、退院日が近いのか暫く先なのかひと目で認識できるよう表示されてはいなかった。
【０００５】
そこで、本発明はこのような問題点に鑑み、新たに入院した患者や退院が近づいた患者を認識し易いよう表示するナースコール親機を備えたナースコールシステムを提供することを目的としている。
【課題を解決するための手段】
【０００６】
上記課題を解決する為に、請求項１の発明は、ベッド毎に設置されて患者が看護師を呼び出すためのナースコール子機と、ナースステーションに設置されてナースコール子機による呼び出しに応答するためのナースコール親機と、ナースコール子機とナースコール親機の間の呼出／通話を制御する制御機とを備えたナースコールシステムにおいて、ナースコール親機或いは制御機は、入院患者の氏名、入院日を含む患者情報を記憶する患者情報記憶部を有すると共に、ナースコール親機は、入院患者の少なくとも氏名を含む患者情報の一覧を表示するディスプレイを有し、更にナースコール親機或いは制御機は、ディスプレイに表示する患者情報の一覧表示を制御する表示制御部を有し、表示制御部は、患者情報記憶部に記憶された入院日からの経過日数が所定日数以内であったら、その患者情報の表示に対しては第１の強調表示を実施し、所定日数が経過したら第１の強調表示を終了することを特徴とする。
この構成によれば、新規入院患者の患者情報の表示は一定期間強調表示されるので、新たに入院した患者を把握し易く、スムーズな看護業務の遂行に役立つ。
【０００７】
請求項２の発明は、請求項１に記載の構成において、表示制御部は、第１の強調表示を行っている患者の氏名が、入院中の患者と姓或いは名の少なくとも一方が一致している場合は、双方の患者氏名の表示に対して第２の強調表示を実施することを特徴とする。
この構成によれば、入院している患者と似た或いは同一の名前の患者が新たに入院してきた場合は、両者の氏名が強調表示されるので、氏名が似ている或いは同一による間違いの防止に有効である。
【０００８】
請求項３の発明は、請求項２に記載の構成において、表示制御部は、第２の強調表示を実施している新規入院の患者情報が所定日数が経過したら、第２の強調表示を実施している双方の患者氏名の表示を第３の強調表示に変更することを特徴とする。
この構成によれば、新規入院患者に対する強調表示の終了に合わせて第２の強調表示が第３の強調表示に変化するが、強調表示自体は一方の患者が退院するまで継続させることができ、最後まで看護師に意識させることができる。
また、途中で（新規入院患者の強調表示の終了に合わせて）第２の強調表示が第３の強調表示に変化するため、その後氏名が似ている或いは同一氏名の新たな患者が入院した場合の強調表示と判別でき、間違いの発生防止に有効である。
【０００９】
請求項４の発明は、請求項１乃至３の何れかに記載の構成において、患者情報記憶部に記憶された患者情報に退院予定日の記載がある場合、表示制御部は、退院予定日までの日数が特定の日数以内となったら、当該患者情報に対して第４の強調表示を実施することを特徴とする。
この構成によれば、退院日が近づいてきた患者の患者情報の表示は強調表示されるので、退院が近づいた患者を認識し易く、スムーズな看護業務の遂行に役立つ。
【００１０】
請求項５の発明は、請求項３に記載の構成において、第１の強調表示を表示色の変更で実施する一方、第２及び第３の強調表示を患者氏名に下線を付与して実施し、第２と第３の強調表示は下線の太さ或いは下線の色が異なるものであることを特徴とする。
この構成によれば、第１、第２、第３のそれぞれの強調の形態が異なるため、強調の形態により新規入院患者であるか、氏名が近い或いは同一氏名の患者であるか視覚で判断でき、勘違い等の発生を防止できる。
【発明の効果】
【００１１】
本発明によれば、新規入院患者の患者情報の表示は一定期間強調表示されるので、新たに入院した患者を把握し易く、スムーズな看護業務の遂行に役立つ。また、退院日が近づいてきた患者の患者情報の表示も強調表示されるので、退院が近づいた患者を把握し易く、スムーズな看護業務の遂行に役立つ。
【図面の簡単な説明】
【００１２】
【図１】本発明に係るナースコールシステムの一例を示す構成図である。
【図２】ナースコール親機の要部回路ブロック図である。
【図３】制御機の要部回路ブロック図である。
【図４】大型ディスプレイの表示説明図である。
【発明を実施するための形態】
【００１３】
以下、本発明を具体化した実施の形態を、図面を参照して詳細に説明する。図１は本発明に係るナースコールシステムの一例を示す構成図であり、１は患者が看護師を呼び出すためにベッド毎に設置されたナースコール子機（以下、単に「子機」と称する。）、２は子機１による呼び出し発生を報知するために病室毎に設置された廊下灯、３は患者からの呼び出しに応答するためにナースステーションに設置されたナースコール親機（以下、単に「親機」と称する。）、４は子機１と親機３の間の呼出／通話を制御する制御機である。
【００１４】
廊下灯２は廊下灯幹線Ｌ１を介して制御機４に接続され、親機３は伝送線Ｌ２を介して制御機４に接続されている。また、子機１は病室毎に廊下灯２に伝送線Ｌ３を介して接続されている。尚、廊下灯２、親機３、制御機４がデジタル通信機能を備えている場合は、互いにＬＡＮ接続される。
【００１５】
子機１は、看護師を呼び出すナースコール呼出を実施する呼出握りボタン１ａと、通話するためのマイク及びスピーカを備えたプレート子機１ｂとで構成され、廊下灯２に接続されている。
【００１６】
廊下灯２は、病室毎に入口付近に設置され、呼び出しが発生したら点滅等の報知動作する通知灯２ａ、病室の患者情報を表示する患者情報表示部２ｂを有し、子機１から送出された呼出信号を中継して制御機４に送信する。
【００１７】
親機３は、子機１からの呼び出しに応答するためのハンドセット３１、患者情報の一覧や病棟レイアウトを表示するための大型ディスプレイ３２を備えている。
図２はこの親機３の要部回路ブロック図を示している。図２に示すように、大型ディスプレイ３２には表示選択や設定操作等の各種操作を行うためのタッチパネル３４、大型ディスプレイ３２に表示する各種画像を記憶する画像記憶部３５、ハンドセット３１を動作させる音声処理部３６、表示画像や表示映像を生成処理する映像処理部３７、親機３を制御する親機ＣＰＵ３８、制御機４と通信する親機通信ＩＦ３９等を備えている。
特に親機ＣＰＵ３８は、患者情報の表示制御において、新規入院患者や退院間近な患者の患者情報を強調表示したり、同姓或いは同名の患者がいる場合にも強調表示を行う制御を実施する。
【００１８】
図３は制御機４の要部の回路ブロック図を示している。図３に示すように、患者と子機１の関係を記憶する患者ベッド記憶部４１、入院患者の氏名や入院日、看護情報を始め各患者の各種患者関連情報を記憶する患者情報記憶部４２、制御機４を制御する制御機ＣＰＵ４４、廊下灯２と通信する第１通信ＩＦ４５、親機３と通信する第２通信ＩＦ４６等を備えている
【００１９】
上記の如く構成されたナースコールシステムの動作は以下の様である。但し、子機１によりナースコール呼出を実施し、親機３で応答する動作は従来と同様であるため説明を省略し、ここでは親機３の大型ディスプレイ３２での患者情報の表示について説明する。
図４は大型ディスプレイ３２の表示説明図であり、患者情報の一覧や病棟レイアウトを表示するメイン表示エリア３２ａと、各種情報を表示するためのメッセージ表示エリア３２ｂを備えている。図４では、メイン表示エリア３２ａに患者情報の一覧を表示した状態を示している。図４において、Ｐ１は病室エリア、Ｐ２は個別の患者情報表示エリアであり、病室エリアＰ１の上部に病室番号表示部Ｄ１が設けられ、患者情報表示エリアＰ２内に患者の氏名表示部Ｄ２、ベッド番号表示部Ｄ３、看護情報表示部Ｄ４、メッセージ表示部Ｄ５等が設けられている。
【００２０】
待受け時には、大型ディスプレイ３２には図４に示すように患者情報表示エリアＰ２の一覧が表示され、ナースコール呼出が発生したら呼出元の患者情報表示エリアＰ２全体が点滅動作等することで呼出発生元を表示する（詳述せず）。
この表示される患者情報は、図示しないオーダリングシステムから制御機４に送信され、新規入院患者の情報を制御機４が受信したら、制御機ＣＰＵ４４の制御で患者情報記憶部４２に入院日情報と共に保存される。また、患者情報にベッド番号が付与されていたら患者ベッド記憶部４１にベッド番号が記憶される。
【００２１】
患者ベッド記憶部４１、及び患者情報記憶部４２に保存された情報は、親機ＣＰＵ３８により定期的に読み取られ、或いは情報が変更される都度制御機４から親機ＣＰＵ３８に送信され、親機ＣＰＵ３８内の図示しない記憶部に記憶される。同時に、大型ディスプレイ３２の表示において入院患者のベッド番号に対応する患者情報表示エリアＰ２に新たな患者情報として表示され、入院日情報には、例えば「○○日入院」という形態でメッセージ表示部Ｄ５に表示される。
【００２２】
このとき、患者情報表示エリアＰ２の表示は、通常は全体が白色で表示されており、新規の入院患者は青色で全体が色づけされて表示される。こうして周囲の患者情報表示エリアＰ２と異なる色で表示させることで、新規に患者が入院したことを強調表示（第１の強調表示）し、視覚で認識し易くする。図４に示すハッチングＧ１がこの強調表示した状態を示している。
【００２３】
尚、エリア全体の色を変化させなくとも良く、例えば患者氏名が通常黒色で表示されていたら青色表示に変更しても良い。また、通常ベッド番号は、親機３において患者入院登録時に入力される。
【００２４】
そして親機ＣＰＵ３８は、入院日からの経過日数をカウントして患者情報の表示形態を管理し、入院日から３日以内は上記強調表示を継続するが、４日目以降は強調表示を終了して他の患者と同様に通常表示に切り替える。
【００２５】
このように、新規入院患者の患者情報の表示は一定期間強調表示されるので、新たに入院した患者を把握し易く、スムーズな看護業務の遂行に役立つ。
【００２６】
次に、新規の入院患者が入院中の患者と同姓或いは同名（同姓同名を含む）である場合の表示を説明する。新規入院患者が入院中の患者と同姓或いは同名である場合、親機ＣＰＵ３８はそれを認識して大型ディスプレイ３２に表示される患者情報の氏名にはアンダーラインが付与される。
具体的に、親機ＣＰＵ３８は患者ベッド記憶部４１から新たな入院患者の情報を読み取ると、同姓或いは同名（同姓同名を含む）の入院中の患者がいないか検索する。そして見つかった場合には、双方の患者名に青色のアンダーライン（第２の強調表示）を付与する。
例えば、同姓なら姓のみ、同名なら名のみ、同姓同名なら氏名全体に青色のアンダーラインを付与して、姓または名が同一の新規入院患者が発生したことを視覚的に容易に把握可能とする。
【００２７】
また親機ＣＰＵ３８は経過日数を管理し、この第２の強調表示は第１の強調表示の終了に合わせて終了し、４日目移行はアンダーラインの色を黒色（第３の強調表示）に変えて強調を継続させる。図４に示すＧ２はこの第３の強調表示を実施しているアンダーラインを示し、同姓同名の患者の存在を示している。この第３の強調表示は一方の患者が退院するまで実施される。
【００２８】
このように、入院している患者と似た或いは同一の名前の患者が新たに入院してきた場合は、両者の氏名のうち同一の箇所にアンダーラインが付されて強調表示されるので、氏名が似ている或いは同一による間違の防止に有効である。
また、新規入院による強調表示の終了に合わせて、アンダーラインの色を変更して強調の度合いを相対的に弱くするため、その後新たに氏名が似ている或いは同一氏名の患者が入院した場合に区別でき、間違いの発生防止に有効である。
更に、新規入院と同性／同名の患者の有無との強調表示の形態がそれぞれ異なるため、強調の形態により新規入院患者であるか、氏名が近い或いは同一氏名の患者であるか視覚で速やかに判断でき、勘違い等の発生を防止できる。
【００２９】
こうして入院した患者は、やがて退院予定日が決定したら、図示しないオーダリングシステムから退院予定日の情報が制御機４に送信される。退院予定日情報を受信した制御機４は、制御機ＣＰＵ４４により、患者ベッド記憶部４１に当該患者の退院予定日が登録される。
この情報は親機ＣＰＵ３８により読み取られ、或いは制御機４から親機ＣＰＵ３８に送信され、メッセージ表示部Ｄ５に「○○日退院」と表示される。そして、自身の記憶部に記憶すると共に、退院予定日までの日数をカウントし、退院予定日まで３日以内となったら、強調表示（第４の強調表示）を実施する。具体的に、患者氏名を黒色から例えば青色表示に変更して視覚で認識し易くする。
尚、入院時に退院予定日が入力されていたら、この情報を受けて日数を管理するが、新規入院の強調表示を優先して表示制御は行われる。
【００３０】
このように、退院日が近づいてきた患者の患者情報は、新規の入院や同姓／同名の場合と異なる強調表示を成されるので、退院が近づいた患者を認識し易く、スムーズな看護業務の遂行に役立つ。また、退院が近づいてきた患者の強調表示も、新規入院や同性／同名の患者の強調表示とは異なる強調形態であるため、間違いを防止できる。
【００３１】
尚、上記実施形態では、親機ＣＰＵ３８が入院してからの経過日数のカウントや同姓同名の患者の検索、更には退院日までの残り日数のカウントを行い個々の患者情報の表示形態を制御しているが、制御機ＣＰＵ４４にこれらの制御を実施させても良い。
また、同姓或いは同名の患者に対してはアンダーラインを付して、所定日数（３日）が経過したら色を変えて強調の度合いを変更したが、アンダーラインの太さにより強調の度合いを変更しても良い。
【符号の説明】
【００３２】
１・・ナースコール子機、２・・廊下灯、３・・ナースコール親機、４・・制御機、３２・・大型ディスプレイ（ディスプレイ）、３８・・親機ＣＰＵ（表示制御部）、４１・・患者ベッド記憶部、４２・・患者情報記憶部、４４・・制御機ＣＰＵ。
【図１】
2015071011.tif 000003
【図２】
2015071011.tif 000004
【図３】
2015071011.tif 000005
【図４】
2015071011.tif 000006